(57)【要約】【課題】  給紙トレイの上方に排紙トレイを配置する原稿処理装置において、給紙トレイ上に原稿を載置するときに、給紙トレイ上の載置基準が排紙トレイに遮られることなく、載置基準を視認できるようにする。【解決手段】  ピックアップローラに対向した部分にのみ排紙トレイの突出部を設け、突出部以外は、載置基準より退避させて、視認性を確保する。【選択図】  図２
2006282379.tif 000002
【特許請求の範囲】
【請求項１】
原稿を載置する給紙トレイと、
給紙トレイ上に載置された原稿を給送する給送手段と、
給紙トレイの上方に配置された排紙トレイと、
排紙トレイに原稿を排出する排出手段と、
を備える原稿処理装置において、
排紙トレイの搬出方向端部に突出部を設けたことを特徴とする原稿処理装置。
【請求項２】
給送手段と対向する部分にのみ突出部を設けたことを特徴とする請求項１記載の原稿処理装置。
【請求項３】
給紙トレイ設けられた原稿の載置基準を備え、突出部以外の排紙トレイの排出方向端部は原稿の載置基準の排出方向上流側に退避していることを特徴とする請求項１，２記載の原稿処理装置。
【請求項４】
給紙トレイ上に載置された原稿を給送する給送手段と、
給紙トレイの上方に配置された排紙トレイと、
排紙トレイに原稿を排出する排出手段と、
を備える原稿処理装置において、
前記排出手段により排出された原稿をガイドするガイド手段を前記給送手段に設けたことを特徴とする原稿処理装置。
【発明の詳細な説明】
【技術分野】
【０００１】
本発明は、搬送している原稿を読取るシートスルー方式の原稿処理装置に関する。
【背景技術】
【０００２】
従来、原稿台ガラス上を搬送されている原稿の画像を読み取る位置と、原稿台ガラス上に載置された原稿の画像を読み取る位置とが異なる構成の画像読取装置では、２枚の原稿台ガラスが必要であった（例えば、特許文献１参照）。２枚にすることで、剛性が低下し、読取画像品質の劣化させるとともに、複雑な構成なってしまっていた。
【０００３】
そこで、給紙トレイの上に排紙トレイを配置するような構成にすることで、原稿台ガラス上を搬送されている原稿の画像を読み取る位置と、原稿台ガラス上に載置された原稿の画像を読み取る位置とが異なる構成でも、１枚の原稿台ガラスにすることが可能となっている（例えば、特許文献２参照）。
【特許文献１】特開２００４−１７５４６０号公報（第２１頁、図１）
【特許文献２】特開２００４−０４８１０８号公報（第１１頁、図１）
【発明の開示】
【発明が解決しようとする課題】
【０００４】
しかしながら上記従来例では、給紙トレイの上方に排紙トレイがあるため、給紙トレイ上の原稿の載置基準等が排紙トレイにより隠されてしまい、視認性が劣悪であり、セット不良を誘発してしまっていた。
【課題を解決するための手段】
【０００５】
以上のような問題を解決するために本発明の請求項１では、原稿を載置する給紙トレイと、給紙トレイ上に載置された原稿を給送する給送手段と、給紙トレイの上方に配置された排紙トレイと、排紙トレイに原稿を排出する排出手段とを備える原稿処理装置において、排紙トレイの搬出方向端部に突出部を設けたことを特徴とする。上記の構成において、突出していない部分で給紙トレイ上の視認性が向上する。
【０００６】
請求項２では、給送手段と対向する部分にのみ突出部を設けたことを特徴とする。これにより、給送手段に対応する部分以外の給紙トレイ上の視認性が向上する。
【０００７】
請求項３では、給紙トレイ設けられた原稿の載置基準を備え、突出部以外の排紙トレイの排出方向端部は原稿の載置基準の排出方向上流側に退避していることを特徴とする。これにより、原稿の載置基準の視認性が向上する。
【０００８】
請求項４では、給紙トレイ上に載置された原稿を給送する給送手段と、給紙トレイの上方に配置された排紙トレイと、排紙トレイに原稿を排出する排出手段とを備える原稿処理装置において、前記排出手段により排出された原稿をガイドするガイド手段を前記給送手段に設けたことを特徴とする。これにより、給紙トレイ上の給送手段近傍の視認性が向上する。
【発明の効果】
【０００９】
本発明によれば、給紙トレイ上の視認性を向上させ、操作者が正確に原稿を給紙トレイ上にセットできるようなったので、原稿処理装置で搬送される原稿の読取画像の幾何学的特性を向上し、さらに、原稿のセット不良による搬送不良を低減することが可能となる。
【発明を実施するための最良の形態】
【００１０】
以下に図面を参照して、本発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【実施例１】
【００１１】
図１は本発明の実施例１における、画像読取装置の概略構成を示す断面図である。本実施例の装置は原稿処理装置１と画像読取装置２によって構成されている。
【００１２】
画像読取装置２は、原稿台ガラス２１１を備えており、装置２内部には原稿台ガラス２１１上の原稿を読み取る画像読取手段力輔えられている。
【００１３】
画像読取装置２は、光源２０３と第１ミラー２０５が取り付けられた第１走査部２０１と、第２，３ミラー２０６，２０７が取り付けられた第２走査部２０４と、レンズ２０８と、画像読取手段であるＣＣＤ素子２０９とを備えている。
【００１４】
原稿台ガラス２１１上の原稿の画像は、光源２０３で照明され、第１，２，３ミラー２０５，２０６，２０７で光路を折り曲げられながらレンズ２０８でＣＣＤ素子２０９上に結像して、光電変換されることで読み取られる。
【００１５】
第１走査部２０１及び第２走査部２０４は、図示しない駆動手段により２対１の速度比で移動されるので、原稿台ガラス２１１上の原稿からＣＣＤ素子２０９までの物像間は一定に保たれる。原稿処理装置１は、前記画像読取装置２で画像を読み取られる原稿３を搬送する装置である。
【００１６】
初めに、ピックアップローラ１０２は、原稿トレイ１０１の給送方向下流側の載置基準１０１ａに合わせてセットされた原稿３にＶ図示しない圧接手段により圧接されている。そして、原稿３をピックアップローラ１０２により給紙ローラ対１０３に給送する。原稿３の先端が給紙ローラ対１０３に挟持されると、ピックアップローラは図示しない離間手段により、原稿３から上方に離間され、給紙ローラ対１０３は、原稿３を１枚ずつ分離・給送する。原稿３の後端が給紙ローラ対１０３を抜けると、ピックアップローラ１０２は再び原稿トレイ１０１上の原稿３に圧接される。これらの動作を繰り返すことで、原稿トレイ１０１上の原稿３を一枚ずつ給送する。
【００１７】
次に、給送された原稿３は搬送ローラ対１０４，１０５により搬送された後、原稿台ガラス２１１とプラテン白板１０７の間を通る。そして、原稿３は、搬送ローラ対１０９を経て、排紙ローラ対１１０により給紙トレイ１０１の上方に配置された排紙トレイ１１１上へ排出される。原稿３の画像は、原稿台ガラス２１１上のＢの位置を通過するときに読み取られる。
【００１８】
原稿処理装置１により搬送される原稿３を読み取る場合には、画像読取装置２がＢの位置を読み取るように、第１，２走査部２０１，２０４を図１に示した位置に固定する。
【００１９】
また、原稿台ガラス２１１上に載置された原稿を読み取る場合には、第１，２走査部２０１，２０４を移動走査することで、読み取る。
【００２０】
図２は、排紙トレイ１１１を上から見た図である。排紙トレイ１１１の排出方向端部には、排紙ローラ対１１０により排出された原稿３がピックアップローラ１０２に接触しないように、ピックアップローラ１０２に対向する部分に突出部１１１ａが設けられている。ピックアップローラ１０２に対向しない部分の排紙トレイ１１１の排出方向端部は、給紙トレイ１０１上に原稿３をセットするための視認性を確保するために、載置基準１０１ａに対向しない位置まで、排出方向上流側に退避している。
【実施例２】
【００２１】
図３，４に第２の実施例を示す。
【００２２】
排紙トレイ１１１は全域で載置基準１０１ａに対向する位置まで退避している。ピックアップローラ１０２には、その両端に排紙ローラ対１１０により排出された原稿３がピックアップローラ１０２に接触しないように排紙ガイド１１２が設けられている。
【００２３】
排紙ガイド１１２は、ピックアップローラ１０２に設けられているので、ピックアップローラ１０２の原稿に対する接離動作に連動する。排紙トレイを全域で載置基準１０１ａに対向する位置まで退避させ、ピックアップローラ１０２の両端に排紙ガイド１１２を設けた。本実施例により、給紙トレイ１０１上に原稿をセットするための視認性がさらに向上した。
【実施例３】
【００２４】
突出部１１１ａは、ピックアップローラ１０２以外の、例えばピックアップローラ１０２の接離手段等、排紙ローラ対１１０により排出された原稿３を接触させられない構成に対向して設けることで、同様の効果が得ることができる。
【図面の簡単な説明】
【００２５】
【図１】第１の実施例における原稿処理装置を示す断面図。
【図２】第１の実施例を上から見た図。
【図３】第２の実施例における原稿処理装置を示す断面図。
【図４】第２の実施例を上から見た図。
【符号の説明】
【００２６】
１０１  給紙トレイ
１０２  給送手段
１１１  排紙トレイ
１１０  排出手段
１１１ａ  突出部
１０１ａ  載置基準
１１２  ガイド手段
【図１】
2006282379.tif 000003
【図２】
2006282379.tif 000004
【図３】
2006282379.tif 000005
【図４】
2006282379.tif 000006